(57)【特許請求の範囲】
【請求項１】
第１の接続用導体を第１の内部絶縁体で被覆した複数の第１の信号線と、この複数の第１の信号線全体を覆う第１のシールド導体と、この第１のシールド導体を被覆する第１の外部絶縁体とを有する複合ケーブルが取り付けられる導電性を有する取付部品であって、
底板部と、
前記底板部の幅方向の一端部に立設された第１の側壁部と、
前記底板部の幅方向の他端部に立設された第２の側壁部とを備えており、
前記第１の側壁部には、複合ケーブルの第１の外部絶縁体及び第１のシールド導体から露出した複数の第１の信号線が挿入される複数の第１のスロットが設けられており、
前記第２の側壁部には、前記複合ケーブルの第１の外部絶縁体から露出した第１のシールド導体が挿入され且つ当該第１のシールド導体に接触する第２のスロットが設けられていることを特徴とする取付部品。
【請求項２】
請求項１記載の取付部品において、
前記第１のスロットには前記複合ケーブルの第１の信号線が圧入されるようになっていることを特徴とする取付部品。
【請求項３】
請求項１記載の取付部品において、
前記第２のスロットには前記複合ケーブルの第１のシールド導体が圧入されるようになっていることを特徴とする取付部品。
【請求項４】
第２の接続用導体を第２の内部絶縁体で被覆した第２の信号線と、この第２の信号線を覆う第２のシールド導体と、この第２のシールド導体を被覆する第２の外部絶縁体とを有する同軸ケーブルが、前記複合ケーブルに加えて取り付けられる請求項１、２又は３記載の取付部品において、
前記第１の側壁部には、前記同軸ケーブルの第２の外部絶縁体及び第２のシールド導体から露出した第２の信号線が挿入される第３のスロットが設けられている一方、
前記第２の側壁部には、前記同軸ケーブルの第２の外部絶縁体から露出した第２のシールド導体が挿入され且つ当該第２のシールド導体に接触する第４のスロットが設けられていることを特徴とする取付部品。
【請求項５】
請求項４記載の取付部品において、
前記第３のスロットには前記同軸ケーブルの第２の信号線が圧入されるようになっていることを特徴とする取付部品。
【請求項６】
請求項４記載の取付部品において、
前記第４のスロットには前記同軸ケーブルの第２のシールド導体が圧入されるようになっていることを特徴とする取付部品。
【請求項７】
請求項１、２又は３記載の取付部品が取り付けられるコネクタにおいて、
複合ケーブルの第１の接続用導体と電気的に接続される端子部と、
この端子部が設けられた絶縁性を有するボディと、
このボディに設けられ、前記取付部品と電気的に接続されるシールド部材とを具備することを特徴とするコネクタ。
【請求項８】
請求項４、５又は６記載の取付部品が取り付けられるコネクタにおいて、
複合ケーブルの第１の接続用導体、同軸ケーブルの第２の接続用導体と電気的に接続される端子部と、
この端子部が設けられた絶縁性を有するボディと、
このボディに設けられ、前記取付部品と電気的に接続されるシールド部材とを具備することを特徴とするコネクタ。
【請求項９】
請求項７又は８記載のコネクタにおいて、
前記ボディに取り付けられるシールドカバーを有しており、
前記シールド部材は、前記端子部と前記取付部品との間に配設されており、
前記シールドカバーは、前記ボディに取り付けられた状態で、前記シールド部材との間で取付部品を挟持するようになっていることを特徴とするコネクタ。
【請求項１０】
請求項７、８又は９記載のコネクタを備えたことを特徴とする電子機器。
【発明の詳細な説明】
【技術分野】
【０００１】
本発明は、複合ケーブル等のケーブルが取り付けられる取付部品及びこれを備えたコネクタ並びに電子機器に関する。
【背景技術】
【０００２】
この種のコネクタとしては、複数のケーブルが並列に並べられ且つシールド導体を半田接続により一体化した状態で接続されるものがある。具体的には、複数のケーブルのシールド導体を一体的に接続した半田部( グランドバー) を前記コネクタのシールド部材に電気的に接続する一方、当該ケーブルの接続導体を当該コネクタの端子部に電気的に接続するようになっている。
【０００３】
このコネクタには、前記ケーブルを前記端子部の接続位置に位置決めするための溝部が設けられている( 特許文献１) 。
【０００４】
ところで、前記ケーブルとしては、接続用導体を内部絶縁体で被覆した複数の信号線と、この複数の信号線全体を覆うシールド導体と、このシールド導体を被覆する外部絶縁体とを有する複合ケーブルがある。このような複合ケーブルの場合、各信号線を所定の順に整列させ、前記コネクタの端子部に各々接続させる必要がある。
【０００５】
【特許文献１】特開２００２−８７６５号公報
【発明の開示】
【発明が解決しようとする課題】
【０００６】
ところが、前記複合ケーブルの複数の信号線を、前記コネクタ上で所定の順に整列させ且つ前記端子部の接続位置に位置決めすることは、当該コネクタに前記溝部が設けられている場合であっても、非常に困難であり、誤配線を起こす原因となる。特に、前記コネクタが小型なものである場合には、その整列及び位置決め作業が更に困難になる。また、前記コネクタ上で、前記信号線の整列及び位置決めを行うと、前記信号線の整列のチェックを行ない難いため、誤配線が生じ易い。ひと度、前記信号線が前記端子部に接続されると、前記信号線は圧接又は半田付けにより前記端子部に接続されるので、誤配線された信号線を容易に配線し直すことができない。更に、複数の複合ケーブルが半田部で接続された状態であると、各複合ケーブルを自由に扱うことができないため、当該複合ケーブルの各信号線を整列させ難くなる。
【０００７】
本発明は、上記事情に鑑みて創案されたものであって、その目的とするところは、コネクタ外で複合ケーブルの信号線の整列、位置決め及び信号線が正しく整列しているか否かのチェックを容易に行うことができ、且つ信号線を容易に配線し直すことができる取付部品及びこれが取り付けられるコネクタ並びに電子機器を提供することにある。
【課題を解決するための手段】
【０００８】
上記目的を達成するために、本発明の取付部品は、第１の接続用導体を第１の内部絶縁体で被覆した複数の第１の信号線と、この複数の第１の信号線全体を覆う第１のシールド導体と、この第１のシールド導体を被覆する第１の外部絶縁体とを有する複合ケーブルが取り付けられる導電性を有する取付部品であって、底板部と、前記底板部の幅方向の一端部に立設された第１の側壁部と、前記底板部の幅方向の他端部に立設された第２の側壁部とを備えており、前記第１の側壁部には、複合ケーブルの第１の外部絶縁体及び第１のシールド導体から露出した複数の第１の信号線が挿入される複数の第１のスロットが設けられており、前記第２の側壁部には、前記複合ケーブルの第１の外部絶縁体から露出した第１のシールド導体が挿入され且つ当該第１のシールド導体に接触する第２のスロットが設けられている。
【０００９】
このような取付部品による場合、複数の第１のスロットに、複合ケーブルの第１の外部絶縁体及び第１のシールド導体から露出した複数の第１の信号線を挿入するだけで、各信号線の整列及び位置決めを容易に行うことができる。しかも、信号線を第１のスロットに挿入した状態で、当該各信号線が正しく整列しているか否かのチェックをコネクタの取り付け前に行うことができる。このチェックの結果、信号線の誤整列を発見すれば、当該信号線を第１のスロットから取り出し、正しい第１のスロットに挿入することにより、当該信号線を容易に配線し直すことができる。また、複合ケーブルの第１のシールド導体を第２のスロットに挿入し、接触させることにより、前記取付部品をグランドバーとして機能させることができる。この取付部品をコネクタのグランド接続部に電気接続させるようにすれば、複合ケーブルを別途、グランドに接続する必要がないので、便利である。
【００１１】
前記第１のスロットには前記複合ケーブルの第１の信号線が圧入されるようになっていることが好ましく、前記第２のスロットには前記複合ケーブルの第１のシールド導体が圧入されるようになっていることが好ましい。この場合、複合ケーブルを取付部品に取り付ける際に、複合ケーブルが脱落するのを防止することができ、また、複合ケーブルを取付部品と共に、コネクタに取り付ける際に、複合ケーブルが脱落するのを防止することができる。よって、複合ケーブルの取付部品への取付作業、及び複合ケーブル及び取付部品のコネクタへの取付作業の作業性が向上する。更に、前記第２のスロットに前記複合ケーブルの第１のシールド導体を圧入すれば、両者の安定した電気接続を行うことができる。
【００１２】
前記取付部品が、第２の接続用導体を第２の内部絶縁体で被覆した第２の信号線と、この第２の信号線を覆う第２のシールド導体と、この第２のシールド導体を被覆する第２の外部絶縁体とを有する同軸ケーブルを、前記複合ケーブルに加えて取り付け可能な構成である場合には、前記取付部品の第１の側壁部には、前記同軸ケーブルの第２の外部絶縁体及び第２のシールド導体から露出した第２の信号線が挿入される第３のスロットが設けられている一方、前記取付部品の第２の側壁部には、前記同軸ケーブルの第２の外部絶縁体から露出した第２のシールド導体が挿入され且つ当該第２のシールド導体に接触する第４のスロットが設けられている。
【００１３】
このような取付部品による場合、複合ケーブルだけでなく、同軸ケーブルも合わせて整列及び位置決めすることができるので、便利である。しかも、同軸ケーブルのグランドへの接続も、上述の如く複合ケーブル同様に、容易に行うことができる。
【００１４】
前記第３のスロットには前記同軸ケーブルの第２の信号線が圧入されるようになっていることが好ましく、前記第４のスロットには前記同軸ケーブルの第２のシールド導体が圧入されるようになっていることが好ましい。この場合、同軸ケーブルを取付部品に取り付ける際に、同軸ケーブルが脱落するのを防止することができ、また、同軸ケーブルを取付部品と共に、コネクタに取り付ける際に、同軸ケーブルが脱落するのを防止することができる。よって、同軸ケーブルの取付部品への取付作業、及び複合ケーブル、同軸ケーブル及び取付部品のコネクタへの取付作業の作業性が向上する。更に、前記第４のスロットに前記同軸ケーブルの第２のシールド導体を圧入すれば、両者の安定した電気接続を行うことができる。
【００１５】
本願発明のコネクタは、複合ケーブルの第１の接続用導体と電気的に接続される端子部と、この端子部が設けられた絶縁性を有するボディと、このボディに設けられ、前記取付部品と電気的に接続されるシールド部材とを具備している。
【００１６】
本願発明の別のコネクタは、複合ケーブルの第１の接続用導体、同軸ケーブルの第２の接続用導体と電気的に接続される端子部と、この端子部が設けられた絶縁性を有するボディと、このボディに設けられ、前記取付部品と電気的に接続されるシールド部材とを具備している。
【００１７】
前記シールド部材は前記端子部と前記取付部品との間に配設されており、前記シールドカバーは、前記ボディに取り付けられた状態で、前記シールド部材との間で取付部品を挟持するようになっている。このように、取付部品をシールド部材とシールドカバーとの間で挟持するだけであることから、取付部品をコネクタに容易に取り付けることができるので、組み込みコストを低減させることができる。しかも、前記シールド部材を端子部とケーブルが取り付けられた取付部品との間に位置させるようにしたことから、ケーブルのシールド用導体から漏れる信号が隣接する端子部に吸収されないように遮断することができる。よって、前記信号が隣接する端子部に吸収され、クロストークが生じるのを低減することができる。更に、前記シールド部材と前記シールドカバーとによりケーブルに接続された取付部品を挟み込むようにしたので、ケーブルのシールド用導体から漏れる信号が当該コネクタが搭載される電子機器の各部に影響を与えないように遮断することもできる。よって、従来例と比べて高いシールド特性を有するコネクタとすることができる。
【発明の効果】
【００１８】
本発明の取付部品による場合、複合ケーブルの第１の外部絶縁体及び第１のシールド導体から露出した複数の第１の信号線を挿入するだけで、各信号線の整列及び位置決めを容易に行うことができる。しかも、信号線を第１のスロットに挿入した状態で、各信号線の整列のチェックをコネクタの取り付け前に行うことができるので、そのチェックが容易になる。このチェックの結果、信号線の誤整列を発見すれば、当該信号線を容易に整列し直すことができるので、誤配線した信号線をコネクタに接続することにより、複合ケーブル及びコネクタが故障するのを防止することができる。
【発明を実施するための最良の形態】
【００１９】
以下、本発明の実施の形態について説明する。
【実施例１】
【００２０】
まず、本発明の第１の実施の形態に係る取付部品について図面を参照しながら説明する。図１は本発明の第１の実施の形態に係る取付部品の概略的斜視図であって、( ａ) が全体を示す図、( ｂ）が一部を拡大した図、図２は同取付部品の複合ケーブル取付状態を示す概略的斜視図である。
【００２１】
図１及び図２に示す取付部品１０は、複数の複合ケーブル２０が取り付けられるグランドバーである。
【００２２】
複合ケーブル２０は、第１の接続用導体２１ａを、ポリエチレン等で形成された第１の内部絶縁体２１ｂで被覆した４本の第１の信号線２１と、この４本の第１の信号線２１全体を覆うアルミニウム等で形成された第１のシールド導体２２と、この第１のシールド導体２２を被覆する塩化ビニール等の第１の外部絶縁体２３とを有した周知のものである。なお、第１の信号線２１の第１の内部絶縁体２１ｂの外面には、他の第１の信号線２１と区別するために、異なる色が着色されている。
【００２３】
取付部品１０は、導電性を有する断面視略凹字状の部材であって、矩形状の底板部１１と、この底板部１１の幅方向の一端部に立設された矩形状の第１の側壁部１２( 即ち、取付部品１０の幅方向の一端部) と、底板部１１の幅方向の他端部に立設された逆Ｌ字状の第２の側壁部１３( 即ち、取付部品１０の幅方向の他端部) とを有した形状となっている。以下、詳しく説明する。
【００２４】
底板部１１は後述するコネクタＡのシールド部材３００に面接触する接触部位である。
【００２５】
第１の側壁部１２には、複数の複合ケーブル２０の第１の外部絶縁体２３及び第１のシールド導体２２から露出した４本の第１の信号線２１が挿入される複数の第１のスロット１４が当該第１の側壁部１２の長さ方向に所定間隔を空けて設けられている。
【００２６】
この第１のスロット１４は、略Ｕ字状の溝部であって、下側部分をなす第１の穴部１４ａと、上側部分をなす第１の導入部１４ｂとを有する。
【００２７】
第１の穴部１４ａは複合ケーブル２０の第１の信号線２１よりも若干径が小さい上部開放の円形の穴であって、その開放部の両縁部の幅寸法が第１の信号線２１の直径よりも小さくなっている。このため、第１の穴部１４ａに、第１の信号線２１が圧入保持される。このように第１の信号線２１が第１の穴部１４ａに圧入されることにより、当該第１の信号線２１の後述する取付時及び取付部品１０のコネクタＡへの取付時に第１のスロット１４から脱落するのを防止している。なお、第１の穴部１４ａは、第１の信号線２１が圧入される際に、第１の信号線２１の第１の内部絶縁体２１ｂが破れないような大きさに形成されている。
【００２８】
また、第１の導入部１４ｂは、第１の穴部１４ａの開放部に連続する開口であって、その両端面が上方に向けて漸次増大するテーパ面となっている。このように第１の導入部１４ｂの両端面をテーパ面としたことにより、第１の信号線２１を第１の穴部１４ａに導き挿入し易くしている。
【００２９】
第２の側壁部１３は、垂直部１３ａと、水平部１３ｂとにより略逆Ｌ字状に形成されている。この水平部１３ｂは、コネクタＡのシールドカバー４００に面接触する接触部位となる。
【００３０】
この第２の側壁部１３には、複数の複合ケーブル２０の第１の外部絶縁体２３から露出した第１のシールド導体が挿入される複数の第２のスロット１５が当該第２の側壁部１３の長さ方向に所定間隔を空けて設けられている。
【００３１】
第２のスロット１５は、第２の側壁部１３の垂直部１３ａに形成される円弧状の第２の穴部１５ａと、第２の側壁部１３の水平部１３ｂに形成される第２の導入部１５ｂとを有する。
【００３２】
第２の穴部１５ａは複合ケーブル２０の第１のシールド導体２２よりも若干径が小さい上部開放の円形の穴であって、その開放部の両縁部の幅寸法が第１のシールド導体２２の直径よりも小さくなっている。このため、第２の穴部１５ａに、第１のシールド導体２２が圧入保持される。このように第１のシールド導体２２が第２の穴部１５ａに圧入されると、両者が接触し、電気的に接続される。また、第１のシールド導体２２が第２の穴部１５ａに圧入されることにより、当該第１のシールド導体２２が、取付部品１０への取付時及び取付部品１０のコネクタＡへの取付時に第２のスロット１５から脱落するのを防止している。なお、第２の穴部１５ａは、第１のシールド導体２２が圧入される際に、当該第１のシールド導体２２が破れないような大きさに形成されている。
【００３３】
また、第２の導入部１５ｂは、第２の穴部１５ａの開放部と連続する開口であって、その両端面が上方に向けて漸次増大するテーパ面となっている。このように第２の導入部１５ｂの両端面をテーパ面としたことにより、第１のシールド導体２２を第２の穴部１５ａに導き挿入し易くしている。
【００３４】
以下、このような構成の取付部品１０に複合ケーブル２０を取り付けると共に、複合ケーブル２０の４本の第１の信号線２１を所定の順に整列及び位置決めする手順について説明する。
【００３５】
まず、複合ケーブル２０の先端部の第１の外部絶縁体２３を剥ぎ、第１のシールド導体２２を露出させる。そして、当該第１のシールド導体２２の先端部を剥ぎ、４本の第１の信号線２１を露出させる。更に、当該第１の信号線２１の第１の内部絶縁体２１ｂの先端部を剥ぎ、第１の接続用導体２１ａを露出させる。
【００３６】
その後、複合ケーブル２０の露出した第１のシールド導体２２を当該取付部品１０の第２のスロット１５の第２の導入部１５ｂに上方から挿入し、第２の穴部１５ａに圧入する。このとき、複合ケーブル２０の第１のシールド導体２２が第２の穴部１５ａに接触し、電気的に接続される。
【００３７】
これと共に、複合ケーブル２０の露出した４本の第１の信号線２１を、当該第１の信号線２１に付された色を参照しつつ、所定の順に取付部品１０の第１のスロット１４の第１の導入部１４ｂに上方から挿入し、第１の穴部１４ａに圧入する。このようにして複数の複合ケーブル２０の４本の第１の信号線２１が所定の順に整列され且つ位置決めされる。
【００３８】
その後、各複合ケーブル２０の４本の第１の信号線２１が所定の順に整列しているか否かをチェックする。具体的には、取付部品１０の第１の側壁部１２と第２の側壁部１３との間から第１の信号線２１を視認してチェックする。その結果、第１の信号線２１の誤配線を発見したときには、当該第１の信号線２１を第１のスロット１４から取り出し、正しい第１のスロット１４に挿入し直す。
【００３９】
このような取付部品１０による場合、複数の第１のスロット１４に、各複合ケーブル２０の４本の第１の信号線２１を挿入するだけで、当該第１の信号線２１を所定の順に容易に整列させ且つ位置決めすることができる。しかも、取付部品１０の第１の側壁部１２と第２の側壁部１３との間から複合ケーブル２０の４本の第１の信号線２１を視認し、その整列をチェックすることができる。即ち、第１の信号線２１の整列をコネクタＡの取り付け前に容易にチェックすることができる。このチェックの結果、第１の信号線２１の誤整列を発見したときには、第１の信号線２１を第１のスロット１４から取り出し、正しい第１のスロット１４に挿入し直すだけであることから、第１の信号線２１を容易に配線し直すことができる。よって、誤配線した第１の信号線２１をコネクタＡの端子部１００に接続することにより、複合ケーブル２０及びコネクタＡが故障するのを防止することができる。
【００４０】
以下、このように複数の複合ケーブル２０が取り付けられた取付部品１０が取り付けられ、且つ複合ケーブル２０の第１の信号線２１が電気接続されるコネクタＡについて図面を参照しながら説明する。図３は本発明の第１の実施の形態に係るコネクタの取付部品の取付状態を示す概略的斜視図であって、( ａ) がシールドカバー取付状態の図、( ｂ) がシールドカバー取外状態の図、( ｃ) が( ｂ) の一部拡大図、図４は同コネクタの取付部品の取付状態を示す概略的断面図、図５は同コネクタの概略的分解斜視図、図６は同コネクタの端子部が設けられたボディを示す図であって、( ａ) が正面図、( ｂ）が平面図、( ｃ）がＡ−Ａ断面図、図７は同コネクタのシールド部材を示す図であって、( ａ) が正面図、( ｂ）が平面図、( ｃ）が底面図、( ｄ）がＢ−Ｂ断面図、図８は同コネクタのシールドカバーを示す図であって、( ａ) が平面図、( ｂ）が底面図、( ｃ）が背面図、( ｄ）が側面図である。
【００４１】
図３及び図４に示すコネクタＡは、複数の複合ケーブル２０の第１の信号線２１の第１の接続用導体２１ａと電気的に接続される複数の端子部１００と、この複数の端子部１００が長さ方向に並べて設けられたボディ２００と、このボディ２００に取り付けられており且つ取付部品１０が載置されるシールド部材３００と、ボディ２００に取り付けられ、シールド部材３００との間で取付部品１０を挟持するシールドカバー４００とを具備している。
【００４２】
このコネクタＡは、図示しない電子機器の基板に実装された相手方コネクタＢ( 図４参照) に接続され、使用されるものである。その一例としては、コネクタＡは、複合ケーブル２０の長さ方向の両端部に取り付けられ、折畳型の携帯電話器( 電子機器) のキースイッチ等が配設された本体側部の基板に実装された相手方コネクタＢ及び当該携帯電話器の液晶ディスプレイ等が配設された表示側部の基板に実装された相手方コネクタＢに各々接続され、使用される。なお、コネクタＡは、複合ケーブル２０の一端部のみに接続され、当該当該複合ケーブル２０の他端部を電子機器の各部に直接接続して使用することも当然可能である。
【００４３】
ボディ２００は、図４及び図６に示すように、絶縁性を有する液晶ポリエステル（ＬＣＰ）樹脂等の略矩形状の樹脂製品であって、その中央部に複数の端子部１００が長さ方向に並べてインサート成形されている。このボディ２００の中央部の上面の幅方向の一端側には、端子部１００の上段部１１０の水平部１１１の先端部を保持する凸脈２１０が長さ方向に向けて設けられている。
【００４４】
また、ボディ２００の長さ方向の両端部の上面には、図３( ｂ）、( ｃ）及び図６( ｂ）に示すように、一対の凹部２２０と、この一対の凹部２２０の内側に連通するように設けられた平面視凸字状の一対の係止孔部２３０とが設けられている。一対の凹部２２０にはシールド部材３００の一対の挿入板３４０が挿入される。一対の係止孔部２３０は、矩形状の一対の第１の孔部２３１と、この第１の孔部２３１の内側の当該第１の孔部よりも幅狭な一対の第２の孔部２３２とを有し、シールドカバー４００の一対の係止部４４０が挿入されるようになっている。
【００４５】
更に、ボディ２００の底面の中央部には、図４及び図６( ｃ）に示すように、端子部１００の下段部１２０の垂直部１２２を露出させるための凹状の開口部２４０が設けられている。この開口部２４０に相手方コネクタＢが嵌まり込む。
【００４６】
端子部１００は、図４及び図６( ｃ）に示すように、階段状に折れ曲がった銅合金等の導電体であって、上段部１１０と、下段部１２０とを有している。
【００４７】
上段部１１０は、水平部１１１と、この水平部１１１から斜め下に延びた傾斜部１１２とを有する。一方、下段部１２０は、傾斜部１１２から水平に延びた水平部１２１と、この水平部１２１から垂直方向に延びた垂直部１２２とを有する。
【００４８】
傾斜部１１２及び水平部１２１はボディ２００に保持される保持部位である。水平部１１１は、ボディ２００の上面に露出し、その先端部がボディ２００の凸脈 ２１０に保持される。即ち、水平部１１１の基端部が複合ケーブル２０の第１の接続用導体２１ａとの接続部位となる。垂直部１２２は開口部２４０の幅方向の他端側 から露出しており、当該開口部２４０に嵌まり込んだ相手方コネクタＢの図示しないコンタクトに電気的に接続される接続部位となる。
【００４９】
シールド部材３００は、図５及び図７に示すように、ＳＵＳ製のフレームであって、断面視略逆Ｌ字状の第１のシールド片３１０と、長板状の第２のシールド片３２０と、第１、第２のシールド片３１０、３２０の長さ方向の両端部を連結する一対の連結部３３０と、この一対の連結部３３０から下方に向けて設けられた一対の挿入板３４０とを有する。
【００５０】
第１のシールド片３１０は、図４に示すように、ボディ２００の上面の幅方向の他端部に当接する水平板３１１と、この水平板３１１と連続しており且つボディ２００の幅方向の他端面に当接する垂直板３１２とを有する。水平板３１１は、ボディ２００の上面の幅方向の他端部に当接した状態で、当該ボディ２００を挟んで端子部１００の下段部１２０の上方位置に位置する。また、この水平部３１１上に取付部品１０が載置され、半田接続されることにより、当該水平板３１１が端子部１００の下段部１２０と取付部品１０との間に位置するようになっている。
【００５１】
第２のシールド片３２０は、第１のシールド片３１０の垂直板３１２と対向しており、ボディ２００の幅方向の一端面の下側部に当接する。
【００５２】
一対の挿入板３４０は、ボディ２００の一対の凹部２２０に挿入され、当該ボディ２００の中央部( 即ち、端子部１００配設領域) の両側に位置する。これにより、シールド部材３００がボディ２００に取り付けられ、当該シールド部材３００の各部が上述の通りボディ２００の各部に当接する。
【００５３】
シールドカバー４００は、図５及び図８に示すように、ＳＵＳ製の部品であって、長板状の本体部４１０と、この本体部４１０の幅方向の一端から下方に向けて設けられた長板状の前面部４２０と、本体部４１０の幅方向の他端部に所定間隔を空けて設けられた４つの片部材４３０と、本体部４１０の長さ方向の両端から下方に向けて設けられた係止部４４０とを有する。
【００５４】
本体部４１０は、図４に示すように、ボディ２００の凸脈２１０上に載置され、当該ボディ２００の上面及び端子部１００に接続された複合ケーブル２０の長さ方向の一端部を覆う。片部材４３０は、本体部４１０が複合ケーブル２０の一端部を覆った状態で、当該本体部４１０の幅方向の他端部の一部と共に取付部品１０の第２の側壁部１３の水平部１３ｂに当接し、半田接続される。この片部材４３０は両端部が下方に向けて折れ曲がっており、取付部品１０に当接した状態で、当該取付部品１０をシールド部材３００の第１のシールド片３１０の水平板３１１に向けて押圧する。これにより、取付部品１０、シールド部材３００及びシールドカバー４００の安定した電気接続を図っている。
【００５５】
前面部４２０は、ボディ２００の凸脈２１０の前側( 即ち、ボディ２００の幅方向の一端側）及びボディ２００の幅方向の一側面の上側部を覆う。
【００５６】
係止部４４０は、図８に示すように、ボディ２００の係止孔部２３０の第１の孔部２３１に圧入される圧入板４４１と、この圧入板４４１から下方に向けて設けられた係止爪４４２とを有する。
【００５７】
圧入板４４１は幅方向の両端部に一対の突起部４４１ａが設けられている。これにより、圧入板４４１の幅寸法が、ボディ２００の係止孔部２３０の第１の孔部２３１の長さ寸法より若干大きくなっている。このようにして圧入板４４１をボディ２００の係止孔部２３０の第１の孔部２３１に圧入可能としている。突起部４４１ａは下方に向けて傾斜しており、圧入板４４１を係止孔部２３０に圧入し易くしている。
【００５８】
また、圧入板４４１は、内側に向けて張り出した一対の張出部４４１ｂが設けられている。この一対の張出部４４１ｂが係止孔部２３０の第１の孔部２３１の内側の内壁面に当接する。これにより、シールドカバー４００が取付状態でガタつくのを防止している。また、一対の張出部４４１ｂが係止孔部２３０の第１の孔部２３１の前記内壁面に当接することにより、圧入板４４１の外面が係止孔部２３０の外側の凹部２２０に挿入されたシールド部材３００の挿入板３４０に当接する。このようにして圧入板４４１がシールド部材３００の挿入板３４０を凹部２２０の外側の内壁面との間で押えることにより、シールド部材３００のガタツキを防止している。
【００５９】
係止爪４４２は、ボディ２００の係止孔部２３０の第１、第２の孔部２３１、２３２に嵌まり込む。この状態で、係止爪４４２の先端部がボディ２００の底面から若干突出する。即ち、係止爪４４２が、前記電子機器の基板のグランドラインに接続される接続部位となる。
【００６０】
以下、このようなコネクタＡの組み立て工程について説明する。まず、端子部１００がインサート成形されたボディ２００の一対の凹部２２０に、シールド部材３００の一対の挿入板３４０を挿入する。すると、図４に示すように、シールド部材３００の第１のシールド片３１０がボディ２００の上面の幅方向の他端部及び幅方向の他端面に当接して沿う。これと共に、シールド部材３００の第２のシールド片３２０が、ボディ２００の幅方向の一端面の下側部に当接して沿う。
【００６１】
その後、取付部品１０に取り付けられた複合ケーブル２０の第１の信号線２１の第１の接続用導体２１ａを、端子部１００の上段部１１０の水平部１１１の基端部( 露出部分) 上に載置すると共に、取付部品１０をシールド部材３００の第１のシールド片３１０の水平板３１１上に載置する。即ち、取付部品１０の底板部１１をシールド部材３００の第１のシールド片３１０の水平板３１１に面接触させる。この状態で、第１の信号線２１の第１の接続用導体２１ａを端子部１００の水平部１１１に、取付部品１０をシールド部材３００の水平板３１１に半田接続する。
【００６２】
その後、ボディ２００の一対の係止孔部２３０に、シールドカバー４００の一対の係止部４４０を挿入し、係止させる。すると、シールドカバー４００の本体部４１０がボディ２００の凸脈２１０上に載置され、当該ボディ２００の上面及び端子部１００に接続された複合ケーブル２０の長さ方向の一端部を覆うと共に、当該シールドカバー４００の本体部４１０の幅方向の他端部の一部及び片部材４３０が、取付部品１０上に載置される。また、これと共に、シールドカバー４００の前面部４２０が、ボディ２００の凸脈２１０の前側及びボディ２００の幅方向の一側面の上側部を覆う。
【００６３】
このように組み立てられたコネクタＡのボディ２００の開口部２４０に、前記電子機器の基板に実装された相手方コネクタＢを嵌め込む。すると、相手方コネクタＢのコンタクトがボディ２００の開口部２４０から露出した端子部１００の下段部１２０の垂直部１２２に接触し、これにより両者が電気的に接続される。このとき、ボディ２００の底面から突出したシールドカバー４００の一対の係止部４４０の係止爪４４２が前記電子機器の基板のグランドラインに接触し、電気的に接続される。
【００６４】
このようなコネクタＡによる場合、複合ケーブル２０の各第１の信号線２１が取付部品１０により予め所定の順に整列され且つ当該整列のチェックがなされているので、誤配線が起こることがない。しかも、取付部品１０がグランドバーを兼ねているので、部品点数を少なくすることができ且つ複合ケーブル２０のグランドへの接続も容易になる。また、取付部品１０をシールド部材３００及びシールドカバー４００により挟持させるだけで、当該取付部品１０のコネクタＡへの組み込みを行うことができる。即ち、取付部品１０を容易に組み込むことができるので、低コスト化を図ることができる。
【００６５】
しかも、シールド部材３００及びシールドカバー４００により、ボディ２００の幅方向の両端及び上面をシールドすることができると共に、シールド部材３００の一対の挿入板３４０及びシールドカバー４００の一対の係止部４４０により、当該ボディ２００の中央部( 即ち、端子部１００配設領域) の長さ方向の両側をシールドすることができるので、複合ケーブル２０の第１のシールド用導体２２から漏れる信号を遮断し、当該コネクタＡが搭載される前記電子機器の各部に影響を与えないようにすることができる。また、シールド部材３００の第１のシールド片３１０を、端子部１００の下段部１２０と取付部品１０との間に位置させるようにしたので、複合ケーブル２０の第１のシールド用導体２２から漏れる信号が隣接する端子部１００への影響を与えないように遮断することができ、クロストークの低減を図ることができる。よって、高いシールド特性を有するコネクタとすることができる。
【００６６】
更に、シールド部材３００及びシールドカバー４００の双方を取付部品１０と半田接続しているので、取付部品１０及び複合ケーブル２０の保持力を向上させることができる。よって、複合ケーブル２０を上方に引っ張ったとしても、当該複合ケーブル２０の第１の信号線２１の第１の接続用導体２１ａと端子部１００との半田接続部の断線又は半田剥離を防止することができる。
【実施例２】
【００６７】
次に、本発明の第２の実施の形態に係る取付部品について図面を参照しながら説明する。図９は本発明の第２の実施の形態に係る取付部品の概略的斜視図、図１０は図９の取付部品のケーブル取付状態を示す概略的斜視図であって、( ａ) が全体を示す図、( ｂ）が( ａ) の一部を拡大した図、図１１は同取付部品が取り付けられ且つシールドカバーを取り外した状態のコネクタの概略的斜視図であって、( ａ) が全体を示す図、( ｂ）が( ａ) の一部を拡大した図である。
【００６８】
図９及び図１０に示す取付部品１０’は、複合ケーブル２０に加えて、同軸ケーブル３０が取り付けられるようになっている点で、実施例１の取付部品１０と異なっている。以下、その相違点について詳しく説明し、重複する部分については説明を省略する。なお、取付部品１０の符号については、’を付す。
【００６９】
同軸ケーブル３０は、第２の接続用導体３１ａをポリエチレン等で形成された第２の内部絶縁体３１ｂで被覆した第２の信号線３１と、この第２の信号線３１を覆うアルミニウム等で形成された第２のシールド導体３２と、この第２のシールド導体３２を被覆する第２の外部絶縁体３３とを有する。
【００７０】
取付部品１０’の第１の側壁部１２’には、複数の第１のスロット１４’と、複数の同軸ケーブル３０の第２の信号線３１が挿入される複数の第３のスロット１６’とが第１の側壁部１２’の長さ方向に所定間隔を空けて設けられている。一方、取付部品１０’の第２の側壁部１３’には、複数の第２のスロット１５’と、複数の同軸ケーブル３０の第２のシールド導体３２が挿入される第４のスロット１７’とが第２の側壁部１３’の長さ方向に所定間隔を空けて設けられている。
【００７１】
第１のスロット１４’及び第２のスロット１５’は、第１のスロット１４及び第２のスロット１５と同じでものある。
【００７２】
第３のスロット１６’は、Ｕ字状の溝部であって、下側部分をなす第３の穴部１６ａ’と、上側部分をなす第３の導入部１６ｂ’とを有する。
【００７３】
第３の穴部１６ａ’は同軸ケーブル３０の第２の信号線３１よりも若干径が小さい上部開放の円形の穴であって、その開放部の両縁部の幅寸法が第２の信号線３１の直径よりも小さくなっている。このため、第３の穴部１６ａ’に、第２の信号線３１が圧入保持される。また、第２の信号線３１が第３の穴部１６ａ’に圧入されることにより、当該第２の信号線３１が、取付部品１０’への取付時及び取付部品１０’のコネクタＡへの取付時に第３のスロット１６’から脱落するのを防止している。なお、第３の穴部１６ａ’は、第２の信号線３１が圧入される際に、第２の信号線３１の第２の内部絶縁体３１ｂが破れないような大きさに形成されている。
【００７４】
また、第３の導入部１６ｂ’は、第３の穴部１６ａ’の開放部に連続する開口であって、その両端面が上方に向けて漸次増大するテーパ面となっている。このように第３の導入部１６ｂ’の両端面をテーパ面としたことにより、第２の信号線３１を第３の穴部１６ａ’に導き挿入し易くしている。
【００７５】
第４のスロット１７’は、第２の側壁部１３’の垂直部１３ａ’に形成される円弧状の第４の穴部１７ａ’と、第２の側壁部１３’の水平部１３ｂ’に形成される第４の導入部１７ｂ’とを有する。
【００７６】
第４の穴部１７ａ’は同軸ケーブル３０の第２のシールド導体３２よりも若干径が小さい上部開放の円形の穴であって、その開放部の両縁部の幅寸法が第２のシールド導体３２の直径よりも小さくなっている。このため、第４の穴部１７ａ’に、第２のシールド導体３２が圧入保持される。このように第２のシールド導体３２が第４の穴部１７ａ’に圧入されると、両者が接触し、電気的に接続される。また、第２のシールド導体３２が第４の穴部１７ａ’に圧入されることにより、当該第２のシールド導体３２が、取付部品１０’への取付時及び取付部品１０’のコネクタＡへの取付時に第４のスロット１７’から脱落するのを防止している。なお、第４の穴部１７ａ’は、第２のシールド導体３２が圧入される際に、当該第２のシールド導体３２が破れないような大きさに形成されている。
【００７７】
また、第４の導入部１７ｂ’は、第４の穴部１７ａ’の開放部と連続する開口であって、その両端面が上方に向けて漸次増大するテーパ面となっている。このように第４の導入部１７ｂ’の両端面をテーパ面としたことにより、第２のシールド導体３２を第４の穴部１７ａ’に導き挿入し易くしている。
【００７８】
以下、このような構成の取付部品１０’に同軸ケーブル３０を取り付ける手順について説明する。なお、複合ケーブル２０の取付方法及び当該複合ケーブル２０の４本の第１の信号線２１を所定の順に整列し位置決めする手順について実施例１と同じであるため、その説明は省略する。
【００７９】
まず、同軸ケーブル３０の先端部の第２の外部絶縁体３３を剥ぎ、第２のシールド導体３２を露出させる。そして、当該第２のシールド導体３２の先端部を剥ぎ、第２の信号線３１を露出させる。更に、当該第２の信号線３１の第２の内部絶縁体３１ｂの先端部を剥ぎ、第２の接続用導体３１ａを露出させる。
【００８０】
その後、同軸ケーブル３０の露出した第２のシールド導体３２を当該取付部品１０’の第４のスロット１７’の第４の導入部１７ｂ’に上方から挿入し、第４の穴部１７ａ’に圧入する。このとき、同軸ケーブル３０の第２のシールド導体３２が第４の穴部１７ａ’に接触し、電気的に接続される。
【００８１】
これと共に、同軸ケーブル３０の露出した第２の信号線３１を、取付部品１０’の第３のスロット１６’の第３の導入部１６ｂ’に上方から挿入し、第３の穴部１６ａ’に圧入する。このようにして複数の同軸ケーブル３０の整列及び位置決めがなされる。
【００８２】
このように複合ケーブル２０及び同軸ケーブル３０が取り付けられた取付部品１０’も、実施例１のコネクタＡに取り付けられる。即ち、図１１に示すように、コネクタＡの一部の端子部１００に、複合ケーブル２０の第１の信号線２１の第１の接続導体部２１ａ、同軸ケーブル３０の第２の信号線３１の第２の接続導体部３１ａが接続される共に、取付部品１０’がシールド部材３００及びシールドカバー４００に挟持され、半田接続される。
【００８３】
このような取付部品１０’による場合、複合ケーブル２０だけでなく、同軸ケーブル３０も取り付けることができ、且つその整列及び位置決めを容易に行うことができる。また、取付部品１０’をコネクタＡに組み込むだけで、複合ケーブル２０及び同軸ケーブル３０をグランドに接続することが可能になるので、便利である。
【００８４】
なお、上述した取付部品については、複合ケーブルの第１の外部絶縁体及び第１のシールド導体から露出した複数の第１の信号線が挿入される複数の第１のスロットを有する限り、どのように設計変更してもかまわない。
【００８５】
よって、前記取付部品に、第２のスロット１５、１５’、第３のスロット１６’及び／又は第４のスロット１７’を設けるか否かは任意である。また、前記取付部品に別のスロットを設け、同軸ケーブル３０以外のケーブルを取付可能とすることも可能である。
【００８６】
第１のスロットについては、複合ケーブルの信号線が圧入されるようになっているとしたが、挿入できれば良い。この点は、第２、３及び４のスロットも同様である。
【００８７】
第１、第２のスロット、第３、第４のスロットをどのような順で配列するかは任意である。例えば、第１、第２のスロットを、取付部品１０’の中央部に設け、当該取付部品１０’の中央部に複合ケーブル２０を取付可能とすると共に、当該取付部品１０’の両側に第３、第４のスロットを設け、当該取付部品１０’の両端部に同軸ケーブル３０を取付可能とすることもできる。
【００８８】
また、取付部品は、導電性を有するとしたが、これに限定されるものではない。即ち、複合ケーブルの第１の信号線を整列及び位置決めするための部品とすることも一応可能である。
【００８９】
コネクタのボディについては、複数の端子部を並べて取り付けることができる絶縁性を有するものであれば、どのようなものであってもかまわない。
【００９０】
端子部については、導電性を有するものであれば、どのようなものを用いてもかまわない。端子部の形状は、複合ケーブルの第１の接続用導体に接続することができる限り、どのように設計変更するかは任意である。
【００９１】
また、端子部は、複合ケーブルの第１の信号線の第１の内部絶縁体から露出した第１の接続導体部、同軸ケーブルの第２の信号線の第２の内部絶縁体から露出した第２の接続導体部が半田接続されるとしたが、複合ケーブルの第１の信号線の第１の内部絶縁体に被覆された第１の接続導体部、同軸ケーブルの第２の信号線の第２の内部絶縁体に被覆された第２の接続導体部に圧接するようにしても良い。この場合、端子部の接続部位には、複合ケーブルの第１の信号線の第１の内部絶縁体、同軸ケーブルの第２の信号線の第２の内部絶縁体に突き刺さり、第１の接続導体部、第２の接続導体部に接触する圧接部を設ける。
【００９２】
シールド部材については、シールド特性を向上させるために、第１、第２のシールド片３１０、３２０を有していることが望ましいが、少なくとも第１のシールド片３１０を有していれば良い。前記シールド部材は、ボディに取り付けられるとしたが、当該ボディに一体的に設けるようにしても良い。
【００９３】
シールドカバーについては、シールド特性を向上させるために、ボディの上面を覆うようになっていることが望ましいが、前記シールド部材と共に、前記取付部品を挟持できるものであれば、どのようなものを用いてもかまわない。従って、片部材を設けるか否かは任意である。
【００９４】
また、シールド部材及びシールドカバーのいずれか一方が取付部品に半田接続されていることが望ましいが、シールド部材及びシールドカバーの挟持により所定の保持力を備えることができる場合には、前記半田接続を要しない。
【００９５】
なお、複合ケーブルは、第１の接続用導体を第１の内部絶縁体で被覆した複数の第１の信号線と、この複数の第１の信号線全体を覆う第１のシールド導体とを有するものであれば良い。
【００９６】
前記電子機器としては、上述した携帯電話器だけでなく、ＰＤＡ等の携帯移動端末装置、デジタルカメラ、デジタルビデオカメラやパーソナルコンピュータ等その他の電子機器にも使用可能であることはいう迄もない。
【図面の簡単な説明】
【００９７】
【図１】本発明の第１の実施の形態に係る取付部品の概略的斜視図であって、( ａ) が全体を示す図、( ｂ）が一部を拡大した図である。
【図２】同取付部品の複合ケーブル取付状態を示す概略的斜視図である。
【図３】本発明の第１の実施の形態に係るコネクタの取付部品の取付状態を示す概略的斜視図であって、( ａ) がシールドカバー取付状態の図、( ｂ) がシールドカバー取外状態の図、( ｃ) が( ｂ) の一部拡大図である。
【図４】同コネクタの取付部品の取付状態を示す概略的断面図である。
【図５】同コネクタの概略的分解斜視図である。
【図６】同コネクタの端子部が設けられたボディを示す図であって、( ａ) が正面図、( ｂ）が平面図、( ｃ）がＡ−Ａ断面図である。
【図７】同コネクタのシールド部材を示す図であって、( ａ) が正面図、( ｂ）が平面図、( ｃ）が底面図、( ｄ）がＢ−Ｂ断面図である
【図８】同コネクタのシールドカバーを示す図であって、( ａ) が平面図、( ｂ）が底面図、( ｃ）が背面図、( ｄ）が側面図である。
【図９】本発明の第２の実施の形態に係る取付部品の概略的斜視図である。
【図１０】図９の取付部品のケーブル取付状態を示す概略的斜視図であって、( ａ) が全体を示す図、( ｂ）が( ａ) の一部を拡大した図である。
【図１１】同取付部品が取り付けられ且つシールドカバーを取り外した状態のコネクタの概略的斜視図であって、( ａ) が全体を示す図、( ｂ）が( ａ) の一部を拡大した図である。
【符号の説明】
【００９８】
１０、１０’  取付部品
１２、１２’  第１の側壁部( 幅方向の一端部) 
１３、１３’  第２の側壁部( 幅方向の他端部) 
１４、１４’  第１のスロット
１５、１５’  第２のスロット
１６’        第３のスロット
１７’        第４のスロット
２０          複合ケーブル
２１          第１の信号線
２１ａ        第１の接続用導体
２１ｂ        第１の内部絶縁体
２２          第１のシールド導体
２３          第１の外部絶縁体
３０          同軸ケーブル
３１          第２の信号線
３１ａ        第２の接続用導体
３１ｂ        第２の内部絶縁体
３２          第２のシールド導体
３３          第２の外部絶縁体
Ａ            コネクタ
１００        端子部
２００        ボディ
３００        シールド部材
４００        シールドカバー
【図１】
0004684117.tif 000002
【図２】
0004684117.tif 000003
【図３】
0004684117.tif 000004
【図４】
0004684117.tif 000005
【図５】
0004684117.tif 000006
【図６】
0004684117.tif 000007
【図７】
0004684117.tif 000008
【図８】
0004684117.tif 000009
【図９】
0004684117.tif 000010
【図１０】
0004684117.tif 000011
【図１１】
0004684117.tif 000012